(57)【特許請求の範囲】
【請求項１】
無線リソース制御（RRC）接続を解放する方法であって、
端末により、第1の基地局によって送信された非アクティブ化指示メッセージを受信するステップであって、前記非アクティブ化指示メッセージが前記端末のモビリティ制御に関する指示情報を搬送し、前記第1の基地局が前記端末のサービング基地局である、ステップと、
前記端末により、前記非アクティブ化指示メッセージに従ってRRC接続を解放し、前記端末のコンテキスト情報を確保し、非アクティブ状態に入るステップと
を有し、
前記指示情報は、セル再選択を実施するとき、前記第1の基地局によって制御されるセルを優先するように、非アクティブ状態にある端末に命令するために使用され、
前記端末により、非アクティブ状態に入るステップの後に、方法は、
前記端末により、端末のセル再選択中、前記指示情報に従って、再選択条件を満たす第1の対象セルが前記第1の基地局によって制御されるセルの中に存在しないと判断すると、ブロードキャストされたセル再選択優先情報に従ってセル再選択を実施するステップ
をさらに有し、
前記端末により、非アクティブ状態に入る前記ステップの後に、前記方法が、
事前設定された条件が満たされたと前記端末が判断すると、前記端末により、前記第1の基地局にアクティブ化要求メッセージを送信するステップであって、前記アクティブ化要求メッセージが、前記端末の身元を識別するために使用される端末識別子情報を搬送する、ステップと、
前記端末により、前記第1の基地局によって送信されたアクティブ化メッセージを受信し、前記アクティブ化メッセージに従ってコンテキストを回復するステップと、
前記端末により、前記第1の基地局にアクティブ化完了メッセージを送信し、接続状態に入るステップと
をさらに有し、
前記端末により、前記第1の基地局によって送信されたアクティブ化メッセージを受信する前記ステップの後に、前記方法が、
前記端末により、アクティブ化を開始したセルについての情報および前記端末によって確保された前記コンテキスト情報に基づいて、鍵を導出するステップと、
前記端末により、前記鍵に基づいて第1の基地局と通信するステップと
をさらに有する、方法。
【請求項２】
事前設定された条件が満たされたと前記端末が判断することが、
ページングメッセージが受信されたと前記端末が判断すること、または
アップリンクデータが到達したと前記端末が判断すること、または
前記端末が追跡エリア更新（TAU）を実施する必要があること
を含む、請求項1に記載の方法。
【請求項３】
前記非アクティブ化指示メッセージが、前記端末のコンテキスト有効期間情報をさらに搬送し、
端末により、非アクティブ化指示メッセージを受信する前記ステップの後に、前記方法が、
前記端末により、コンテキスト有効期間タイマを開始し、前記コンテキスト有効期間タイマがタイムアウトした場合、前記端末の前記コンテキスト情報を解放するステップ
をさらに有する、請求項1または2に記載の方法。
【請求項４】
端末であって、
第1の基地局によって送信された非アクティブ化指示メッセージを受信するように構成された受信ユニットであって、前記非アクティブ化指示メッセージが前記端末のモビリティ制御に関する指示情報を搬送し、前記第1の基地局が前記端末のサービング基地局である、受信ユニットと、
前記受信ユニットによって受信された前記非アクティブ化指示メッセージに従ってRRC接続を解放し、前記端末のコンテキスト情報を確保し、非アクティブ状態に入るように構成された処理ユニットと
を備え、
前記指示情報は、セル再選択を実施するとき、前記第1の基地局によって制御されるセルを優先するように、非アクティブ状態にある端末に命令するために使用され、
前記処理ユニットは、端末のセル再選択中、前記指示情報に従って、再選択条件を満たす第1の対象セルが前記第1の基地局によって制御されるセルの中に存在しないと判断すると、ブロードキャストされたセル再選択優先情報に従ってセル再選択を実施するようにさらに構成され、
前記処理ユニットが、事前設定された条件が満たされたと判断するようにさらに構成され、
前記端末が、
前記事前設定された条件が満たされたと前記処理ユニットが判断すると、前記第1の基地局にアクティブ化要求メッセージを送信するように構成された送信ユニットであって、前記アクティブ化要求メッセージが、前記端末の身元を識別するために使用される端末識別子情報を搬送する、送信ユニット
をさらに備え、
前記受信ユニットが、前記第1の基地局によって送信されたアクティブ化メッセージを受信するようにさらに構成され、
前記処理ユニットが、前記アクティブ化メッセージに従ってコンテキストを回復するようにさらに構成され、
前記送信ユニットが、前記第1の基地局にアクティブ化完了メッセージを送信し、接続状態に入るようにさらに構成され、
前記処理ユニットが、アクティブ化を開始したセルについての情報および前記端末によって確保された前記コンテキスト情報に基づいて、鍵を導出し、前記鍵に基づいて第1の基地局と通信するようにさらに構成される、端末。
【請求項５】
事前設定された条件が満たされたと前記処理ユニットが判断することが、具体的に、
ページングメッセージが受信されたと判断されること、または
アップリンクデータが到達したと判断されること、または
追跡エリア更新（TAU）が実施される必要があること
である、請求項4に記載の端末。
【請求項６】
前記非アクティブ化指示メッセージが、前記端末のコンテキスト有効期間情報をさらに搬送し、
前記処理ユニットが、コンテキスト有効期間タイマを開始し、前記コンテキスト有効期間タイマがタイムアウトした場合、前記端末の前記コンテキスト情報を解放するようにさらに構成される、請求項4または5に記載の端末。
【請求項７】
プログラムを記録した非一時的なコンピュータ読み取り可能な記録媒体であって、
前記プログラムがプロセッサによって実行されたとき、請求項1から3のいずれか一項に記載の方法の各ステップが実行される、非一時的なコンピュータ読み取り可能な記録媒体。
【発明の詳細な説明】
【技術分野】
【０００１】
本発明は、通信技術の分野に関し、詳細には、無線リソース制御（Radio Resource Control、RRC）接続を解放する方法および装置に関する。
【背景技術】
【０００２】
ユーザ機器（User Equipment、UE）は、エアインターフェースにおいて2つのRRC状態：アイドル（IDLE）状態および接続（Connected）状態を有する。サービスを実装する必要があるとき、UEは、最初にネットワークとの接続を確立し、アイドル状態から接続状態に切り替わり、次いでデータ伝送を実施する。データ伝送が完了した後、接続状態にあるUEが長い間データ伝送を実施していない場合、UEはネットワークとの接続を切る必要があり、接続状態からアイドル状態に切り替わる。
【０００３】
ダウンリンクデータが到達するか、またはアップリンクデータが到達すると、UEは、UEが現在キャンプオンしているセルにおいて新しいRRC接続の確立を開始し、アイドル状態から接続状態に切り替わる。アイドル状態から接続状態に切り替えると、比較的高いシグナリングオーバーヘッドがもたらされる。ユーザ機器の数が増えると、ネットワークはサービス量の継続的な増加に直面し、サービス量の継続的な増加は、アイドル状態から接続状態に切り替わることによってもたらされる制御シグナリング負荷の継続的な増加の原因になる。制御シグナリングの継続的な増加に起因して、制御シグナリングを送信するためにより多くの無線リソースが必要とされる。加えて、影響を受けるネットワークノードはまた、これらの制御シグナリングを処理するためにより多くの処理リソースを必要とし、これにより、ネットワークノードが過負荷になる場合がある。したがって、UE状態を切り替えるプロセスにおけるシグナリングオーバーヘッドを低減することは極めて重要である。
【発明の概要】
【課題を解決するための手段】
【０００４】
しかしながら、UE状態を切り替えるプロセスにおけるシグナリングオーバーヘッドが比較的高いという問題を解決することができる、RRC接続を解放する方法は、現在実現されていない。
【０００５】
本発明の実施態様は、UEがアイドル状態から接続状態に切り替わるときのシグナリングオーバーヘッドが比較的高いという従来技術における欠点を克服するために、RRC接続を解放する方法および装置を提供する。
【０００６】
第1の態様によれば、無線リソース制御（RRC）接続を解放する方法が提供され、方法は、
端末により、第1の基地局によって送信された非アクティブ化指示メッセージを受信するステップであって、非アクティブ化指示メッセージが端末のモビリティ制御に関する指示情報を搬送し、第1の基地局が端末のサービング基地局である、ステップと、
端末により、非アクティブ化指示メッセージに従ってRRC接続を解放し、端末のコンテキスト情報を確保し、非アクティブ状態に入るステップと
を含む。
【０００７】
第1の態様を参照して、第1の可能な実装形態では、端末により、第1の基地局によって送信された非アクティブ化指示メッセージを受信するステップの前に、方法は、
端末により、第1の基地局に非アクティブ化要求メッセージを送信するステップであって、非アクティブ化要求メッセージが、端末を非アクティブ化するように第1の基地局に要求するために使用される、ステップ
をさらに含む。
【０００８】
第1の態様または第1の態様の第1の可能な実装形態を参照して、第2の可能な実装形態では、指示情報は、セル再選択を実施するとき、第1の基地局によって制御されるセルを優先するように、非アクティブ状態にある端末に命令するために使用され、
端末により、非アクティブ状態に入るステップの後に、方法は、
端末のセル再選択中、指示情報に従って、再選択条件を満たす第1の対象セルが第1の基地局によって制御されるセルの中に存在すると判断すると、第1の対象セルに対してセル再選択を実施するステップ
をさらに含む。
【０００９】
第1の態様の第2の可能な実装形態を参照して、第3の可能な実装形態では、端末により、非アクティブ状態に入るステップの後に、方法は、
端末のセル再選択中、指示情報に従って、再選択条件を満たす第1の対象セルが第1の基地局によって制御されるセルの中に存在しないと判断すると、ブロードキャストされたセル再選択優先情報に従ってセル再選択を実施するステップ
をさらに含む。
【００１０】
第1の態様または第1の態様の第1の可能な実装形態を参照して、第4の可能な実装形態では、指示情報は、非アクティブ状態にある端末がセル再選択を実施するときに好ましいセルまたは基地局を示すために使用され、
端末により、非アクティブ状態に入るステップの後に、方法は、
端末のセル再選択中、指示情報に従って、再選択条件を満たす第2の対象セルが、好ましいセル、または好ましい基地局によって制御されるセルの中に存在すると判断すると、第2の対象セルに対してセル再選択を実施するステップ
をさらに含む。
【００１１】
第1の態様の第4の可能な実装形態を参照して、第5の可能な実装形態では、端末により、非アクティブ状態に入るステップの後に、方法は、
端末のセル再選択中、指示情報に従って、再選択条件を満たす第2の対象セルが、好ましいセル、または好ましい基地局によって制御されるセルの中に存在しないと判断すると、ブロードキャストされたセル再選択優先情報に従ってセル再選択を実施するステップ
をさらに含む。
【００１２】
第1の態様または第1の態様の第1の可能な実装形態を参照して、第6の可能な実装形態では、指示情報は、端末が第2の基地局によって制御されるセルに対して再選択を実施するとき、端末が第2の基地局によって制御されるセルに対して再選択を実施することを第2の基地局に通知するように命令するために使用され、
端末により、非アクティブ状態に入るステップの後に、方法は、
第2の基地局によって制御されるセルに対してセル再選択を実施するとき、端末により、指示情報に従って、端末が第2の基地局によって制御されるセルに対して再選択を実施することを第2の基地局に通知するステップ
をさらに含む。
【００１３】
第1の態様の第6の可能な実装形態を参照して、第7の可能な実装形態では、端末により、指示情報に従って、端末が第2の基地局によって制御されるセルに対して再選択を実施することを第2の基地局に通知するステップは、
端末により、指示情報に従って、ランダムアクセスプロセスを使用することにより、端末が第2の基地局によって制御されるセルに対して再選択を実施することを第2の基地局に通知するステップ
を含む。
【００１４】
第1の態様または第1の態様の第1の可能な実装形態を参照して、第8の可能な実装形態では、指示情報は、端末が第2の基地局によって制御されるセルに対して再選択を実施した後、端末が第2の基地局においてアクティブ化プロセスを開始することを許可されたことを示すために使用され、
端末により、非アクティブ状態に入るステップの後に、方法は、
端末が第2の基地局によって制御されるセルに対してセル再選択を実施した後、事前設定された条件が満たされたと判断すると、端末により、第2の基地局にアクティブ化要求メッセージを送信するステップであって、アクティブ化要求メッセージが、ソースセル情報、および端末の身元を識別するために使用される端末識別子情報を搬送する、ステップと、
端末により、第2の基地局によって送信されたアクティブ化メッセージを受信し、アクティブ化メッセージに従ってコンテキストを回復するステップと、
端末により、第2の基地局にアクティブ化完了メッセージを送信し、接続状態に入るステップと
をさらに含む。
【００１５】
第1の態様または第1の態様の第1の可能な実装形態を参照して、第9の可能な実装形態では、
端末により、非アクティブ状態に入るステップの後に、方法は、
事前設定された条件が満たされたと端末が判断すると、端末により、第1の基地局にアクティブ化要求メッセージを送信するステップであって、アクティブ化要求メッセージが、ソースセル情報、および端末の身元を識別するために使用される端末識別子情報を搬送する、ステップと、
端末により、第1の基地局によって送信されたアクティブ化メッセージを受信し、アクティブ化メッセージに従ってコンテキストを回復するステップと、
端末により、ソース基地局にアクティブ化完了メッセージを送信し、接続状態に入るステップと
をさらに含む。
【００１６】
第1の態様の第8または第9の可能な実装形態を参照して、第10の可能な実装形態では、事前設定された条件が満たされたと端末が判断することは、
ページングメッセージが受信されたと端末が判断すること、または
アップリンクデータが到達したと端末が判断すること、または
端末が追跡エリア更新（TAU）を実施する必要があること
を含む。
【００１７】
第1の態様の第8から第10の可能な実装形態を参照して、第11の可能な実装形態では、アクティブ化メッセージはコンテキスト更新パラメータを搬送し、
端末により、アクティブ化メッセージに従ってコンテキストを回復するステップの後に、方法は、
端末により、コンテキスト更新パラメータに従って、回復されたコンテキストを更新するステップ
をさらに含む。
【００１８】
第1の態様の第8から第11の可能な実装形態を参照して、第12の可能な実装形態では、端末により、第1の基地局または第2の基地局によって送信されたアクティブ化メッセージを受信するステップの後に、方法は、
端末により、アクティブ化を開始したセルについての情報および端末によって確保されたコンテキスト情報に基づいて、第1の鍵または第2の鍵を導出するステップと、
端末により、第1の鍵に基づいて第1の基地局と通信するか、または第2の鍵に基づいて第2の基地局と通信するステップと
をさらに含む。
【００１９】
第1の態様または第1の態様の第1から第12の可能な実装形態を参照して、第13の可能な実装形態では、非アクティブ化指示メッセージは、端末のコンテキスト有効期間情報をさらに搬送し、
端末により、非アクティブ化指示メッセージを受信するステップの後に、方法は、
端末により、コンテキスト有効期間タイマを開始し、コンテキスト有効期間タイマがタイムアウトした場合、端末のコンテキスト情報を解放するステップ
をさらに含む。
【００２０】
第2の態様によれば、無線リソース制御（RRC）接続を解放する方法が提供され、方法は、
第1の基地局により、事前設定された条件が満たされたと判断するステップと、
事前設定された条件が満たされたと判断した後に、第1の基地局により、端末に非アクティブ化指示メッセージを送信し、端末のコンテキスト情報を確保するステップであって、非アクティブ化指示メッセージが端末のモビリティ制御に関する指示情報を搬送し、第1の基地局が端末のサービング基地局である、ステップと
を含む。
【００２１】
第2の態様を参照して、第1の可能な実装形態では、第1の基地局により、事前設定された条件が満たされたと判断するステップは、
第1の基地局により、非アクティブタイマがタイムアウトしたと判断するステップ、または
第1の基地局により、端末によって送信された非アクティブ化要求メッセージを受信するステップであって、非アクティブ化要求メッセージが、端末を非アクティブ化するように第1の基地局に要求するために使用される、ステップ
を含む。
【００２２】
第2の態様または第2の態様の第1の可能な実装形態を参照して、第2の可能な実装形態では、指示情報は、セル再選択を実施するとき、第1の基地局によって制御されるセルを優先するように、非アクティブ状態にある端末に命令するために使用されるか、または
指示情報は、非アクティブ状態にある端末がセル再選択を実施するときに好ましいセルもしくは基地局を示すために使用される。
【００２３】
第2の態様または第2の態様の第1および第2の可能な実装形態を参照して、第3の可能な実装形態では、指示情報は、端末が第2の基地局によって制御されるセルに対して再選択を実施するとき、端末が第2の基地局によって制御されるセルに対して再選択を実施することを第2の基地局に通知するように命令するために使用され、かつ／または、指示情報は、端末が第2の基地局に対して再選択を実施した後、端末が第2の基地局においてアクティブ化プロセスを開始することを許可されたことを示すために使用され、
第1の基地局により、端末に非アクティブ化指示メッセージを送信するステップの後に、方法は、
第1の基地局により、第2の基地局によって送信されたコンテキスト要求を受信するステップであって、コンテキスト要求が、ソースセル情報、端末の身元を識別するために使用される端末識別子情報、および対象セル情報を搬送する、ステップと、
第1の基地局により、第2の基地局に端末の確保されたコンテキスト情報を送信するステップと
をさらに含む。
【００２４】
第2の態様の第3の可能な実装形態を参照して、第4の可能な実装形態では、第1の基地局により、第2の基地局によって送信されたコンテキスト要求を受信するステップの後に、方法は、
第1の基地局により、対象セル情報に基づいて第1の鍵を生成し、第2の基地局に第1の鍵を送信するステップ
をさらに含む。
【００２５】
第2の態様の第3または第4の可能な実装形態を参照して、第5の可能な実装形態では、第1の基地局により、第2の基地局に端末のコンテキスト情報を送信するステップの後に、方法は、
第1の基地局により、MMEまたは第2の基地局によって送信されたコンテキスト情報解放メッセージを受信し、コンテキスト情報解放メッセージに従って、確保されたコンテキスト情報を解放するステップ
をさらに含む。
【００２６】
第2の態様または第2の態様の第1の可能な実装形態を参照して、第6の可能な実装形態では、第1の基地局により、端末に非アクティブ化指示メッセージを送信するステップの後に、方法は、
第1の基地局により、端末によって送信されたアクティブ化要求メッセージを受信するステップであって、アクティブ化要求メッセージが、ソースセル情報、および端末の身元を識別するために使用される端末識別子情報を搬送する、ステップと、
ソースセル情報に従って、ソースセルが第1の基地局のセルであると判断すると、第1の基地局により、端末のコンテキスト情報を取得するステップと、
第1の基地局により、端末にアクティブ化メッセージを送信するステップと、
第1の基地局により、端末によって送信されたアクティブ化完了メッセージを受信するステップと
をさらに含む。
【００２７】
第2の態様の第6の可能な実装形態を参照して、第7の可能な実装形態では、アクティブ化メッセージはコンテキスト更新パラメータを搬送する。
【００２８】
第2の態様の第6または第7の可能な実装形態を参照して、第8の可能な実装形態では、第1の基地局により、端末によって送信されたアクティブ化要求メッセージを受信するステップの後に、方法は、
第1の基地局により、アクティブ化が開始されたセルのセル識別子情報、および端末によって確保されたコンテキスト情報に基づいて第2の鍵を導出するステップと、
第1の基地局により、第2の鍵に基づいて端末と通信するステップと
をさらに含む。
【００２９】
第2の態様の第6から第8の可能な実装形態を参照して、第9の可能な実装形態では、第1の基地局により、端末によって送信されたアクティブ化完了メッセージを受信するステップの後に、方法は、
第1の基地局により、端末が接続状態に入ったことをモビリティ管理エンティティ（MME）に通知するために、MMEに通知メッセージを送信するステップ
をさらに含む。
【００３０】
第3の態様によれば、無線リソース制御（RRC）接続を解放する方法が提供され、方法は、
第2の基地局により、端末によって送信されたアクティブ化要求メッセージを受信するステップであって、アクティブ化要求メッセージが、ソースセル情報、および端末の身元を識別するために使用される端末識別子情報を搬送する、ステップ、またはランダムアクセスプロセスを使用することにより、端末が第2の基地局によって制御されるセルに対して再選択を実施したことを通知するために端末によって使用された通知メッセージを受信するステップと、
第2の基地局により、アクティブ化要求メッセージまたは通知メッセージに従って、第1の基地局にコンテキスト要求を送信するステップであって、コンテキスト要求が端末のコンテキスト情報を要求するために使用され、コンテキスト要求が、ソースセル情報、および端末の身元を識別するために使用される端末識別子情報を搬送する、ステップと、
第2の基地局により、端末のコンテキスト情報であり、コンテキスト要求に従って第1の基地局によって返信されたコンテキスト情報を受信するステップと
を含む。
【００３１】
第3の態様を参照して、第1の可能な実装形態では、第2の基地局により、アクティブ化要求メッセージまたは通知メッセージに従って、第1の基地局にコンテキスト要求を送信するステップの後に、方法は、
第2の基地局により、第1の基地局によって送信された第1の鍵を受信するステップと、
第2の基地局により、第1の鍵に従って端末と通信するステップと
をさらに含む。
【００３２】
第3の態様または第3の態様の第1の可能な実装形態を参照して、第2の可能な実装形態では、第2の基地局により、端末のコンテキスト情報であり、コンテキスト要求に従って第1の基地局によって返信されたコンテキスト情報を受信するステップの後に、方法は、
第2の基地局により、モビリティ管理エンティティ（MME）に通知メッセージを送信するステップであって、通知メッセージが、端末が現在第2の基地局に位置することを示す情報をMMEに通知するために使用される、ステップ
をさらに含む。
【００３３】
第4の態様によれば、無線リソース制御（RRC）接続を解放する方法が提供され、方法は、
モビリティ管理エンティティ（MME）により、第2の基地局によって送信された通知メッセージを受信するステップであって、通知メッセージが、端末が現在非アクティブ状態にあり、端末が第2の基地局によって制御されるセルに対して再選択を実施したことをMMEに通知するために使用される、ステップと、
MMEにより、通知メッセージに従って第2の基地局にページングメッセージを送信するステップと
を含む。
【００３４】
第4の態様を参照して、第1の可能な実装形態では、MMEにより、第2の基地局によって送信された通知メッセージを受信するステップの後に、方法は、
MMEにより、端末のS1インターフェースのデータリンクを第2の基地局に転送するステップと、
MMEにより、端末のコンテキスト情報解放メッセージを第1の基地局に送信するステップと
をさらに含む。
【００３５】
第5の態様によれば、端末が提供され、端末は、
第1の基地局によって送信された非アクティブ化指示メッセージを受信するように構成された受信ユニットであって、非アクティブ化指示メッセージが端末のモビリティ制御に関する指示情報を搬送し、第1の基地局が端末のサービング基地局である、受信ユニットと、
受信ユニットによって受信された非アクティブ化指示メッセージに従ってRRC接続を解放し、端末のコンテキスト情報を確保し、非アクティブ状態に入るように構成された処理ユニットと
を含む。
【００３６】
第5の態様を参照して、第1の可能な実装形態では、端末は、
第1の基地局に非アクティブ化要求メッセージを送信するように構成された送信ユニットであって、非アクティブ化要求メッセージが、端末を非アクティブ化するように第1の基地局に要求するために使用される、送信ユニット
をさらに含む。
【００３７】
第5の態様または第5の態様の第1の可能な実装形態を参照して、第2の可能な実装形態では、指示情報は、セル再選択を実施するとき、第1の基地局によって制御されるセルを優先するように、非アクティブ状態にある端末に命令するために使用され、
処理ユニットは、端末のセル再選択中、指示情報に従って、再選択条件を満たす第1の対象セルが第1の基地局によって制御されるセルの中に存在すると判断すると、第1の対象セルに対してセル再選択を実施するようにさらに構成される。
【００３８】
第5の態様の第2の可能な実装形態を参照して、第3の可能な実装形態では、処理ユニットは、端末のセル再選択中、指示情報に従って、再選択条件を満たす第1の対象セルが第1の基地局によって制御されるセルの中に存在しないと判断すると、ブロードキャストされたセル再選択優先情報に従ってセル再選択を実施するようにさらに構成される。
【００３９】
第5の態様または第5の態様の第1の可能な実装形態を参照して、第4の可能な実装形態では、指示情報は、非アクティブ状態にある端末がセル再選択を実施するときに好ましいセルまたは基地局を示すために使用され、
処理ユニットは、端末のセル再選択中、指示情報に従って、再選択条件を満たす第2の対象セルが、好ましいセル、または好ましい基地局によって制御されるセルの中に存在すると判断すると、第2の対象セルに対してセル再選択を実施するようにさらに構成される。
【００４０】
第5の態様の第4の可能な実装形態を参照して、第5の可能な実装形態では、処理ユニットは、端末のセル再選択中、指示情報に従って、再選択条件を満たす第2の対象セルが、好ましいセル、または好ましい基地局によって制御されるセルの中に存在しないと判断すると、ブロードキャストされたセル再選択優先情報に従ってセル再選択を実施するようにさらに構成される。
【００４１】
第5の態様または第5の態様の第1の可能な実装形態を参照して、第6の可能な実装形態では、指示情報は、端末が第2の基地局によって制御されるセルに対して再選択を実施するとき、端末が第2の基地局によって制御されるセルに対して再選択を実施することを第2の基地局に通知するように命令するために使用され、
端末は、端末が第2の基地局によって制御されるセルに対してセル再選択を実施するとき、指示情報に従って、端末が第2の基地局によって制御されるセルに対して再選択を実施することを第2の基地局に通知するように構成された送信ユニットをさらに含む。
【００４２】
第5の態様の第6の可能な実装形態を参照して、第7の可能な実装形態では、送信ユニットが、指示情報に従って、端末が第2の基地局によって制御されるセルに対して再選択を実施することを第2の基地局に通知することは、具体的に、
指示情報に従って、ランダムアクセスプロセスを使用することにより、端末が第2の基地局によって制御されるセルに対して再選択を実施することを第2の基地局に通知すること
である。
【００４３】
第5の態様または第5の態様の第1の可能な実装形態を参照して、第8の可能な実装形態では、指示情報は、端末が第2の基地局によって制御されるセルに対して再選択を実施した後、端末が第2の基地局においてアクティブ化プロセスを開始することを許可されたことを示すために使用され、
処理ユニットは、事前設定された条件が満たされたと判断するようにさらに構成され、
端末は、端末が第2の基地局によって制御されるセルに対してセル再選択を実施した後、事前設定された条件が満たされたと処理ユニットが判断すると、第2の基地局にアクティブ化要求メッセージを送信するように構成された送信ユニットであって、アクティブ化要求メッセージが、ソースセル情報、および端末の身元を識別するために使用される端末識別子情報を搬送する、送信ユニットをさらに含み、
受信ユニットは、第2の基地局によって送信されたアクティブ化メッセージを受信するようにさらに構成され、
処理ユニットは、アクティブ化メッセージに従ってコンテキストを回復するようにさらに構成され、
送信ユニットは、第2の基地局にアクティブ化完了メッセージを送信し、接続状態に入るようにさらに構成される。
【００４４】
第5の態様または第5の態様の第1の可能な実装形態を参照して、第9の可能な実装形態では、処理ユニットは、事前設定された条件が満たされたと判断するようにさらに構成され、
端末は、事前設定された条件が満たされたと処理ユニットが判断すると、第1の基地局にアクティブ化要求メッセージを送信するように構成された送信ユニットであって、アクティブ化要求メッセージが、ソースセル情報、および端末の身元を識別するために使用される端末識別子情報を搬送する、送信ユニットをさらに含み、
受信ユニットは、第1の基地局によって送信されたアクティブ化メッセージを受信するようにさらに構成され、
処理ユニットは、アクティブ化メッセージに従ってコンテキストを回復するようにさらに構成され、
送信ユニットは、ソース基地局にアクティブ化完了メッセージを送信し、接続状態に入るようにさらに構成される。
【００４５】
第5の態様の第8または第9の可能な実装形態を参照して、第10の可能な実装形態では、事前設定された条件が満たされたと処理ユニットが判断することは、具体的に、
ページングメッセージが受信されたと判断されること、または
アップリンクデータが到達したと判断されること、または
追跡エリア更新（TAU）が実施される必要があること
である。
【００４６】
第5の態様の第8から第10の可能な実装形態を参照して、第11の可能な実装形態では、アクティブ化メッセージはコンテキスト更新パラメータを搬送し、
処理ユニットは、コンテキスト更新パラメータに従って、回復されたコンテキストを更新するようにさらに構成される。
【００４７】
第5の態様の第8から第11の可能な実装形態を参照して、第12の可能な実装形態では、処理ユニットは、アクティブ化を開始したセルについての情報および端末によって確保されたコンテキスト情報に基づいて、第1の鍵または第2の鍵を導出し、第1の鍵に基づいて第1の基地局と通信するか、または第2の鍵に基づいて第2の基地局と通信するようにさらに構成される。
【００４８】
第5の態様または第5の態様の第1から第12の可能な実装形態を参照して、第13の可能な実装形態では、非アクティブ化指示メッセージは、端末のコンテキスト有効期間情報をさらに搬送し、
処理ユニットは、コンテキスト有効期間タイマを開始し、コンテキスト有効期間タイマがタイムアウトした場合、端末のコンテキスト情報を解放するようにさらに構成される。
【００４９】
第6の態様によれば、第1の基地局が提供され、第1の基地局は、
事前設定された条件が満たされたと判断するように構成された処理ユニットと、
事前設定された条件が満たされたと処理ユニットが判断した後に、端末に非アクティブ化指示メッセージを送信し、端末のコンテキスト情報を確保するように構成された送信ユニットであって、非アクティブ化指示メッセージが端末のモビリティ制御に関する指示情報を搬送し、第1の基地局が端末のサービング基地局である、送信ユニットと
を含む。
【００５０】
第6の態様を参照して、第1の可能な実装形態では、第1の基地局は、端末によって送信された非アクティブ化要求メッセージを受信するように構成された受信ユニットをさらに含み、
事前設定された条件が満たされたと処理ユニットが判断することは、具体的に、
非アクティブタイマがタイムアウトしたと判断すること、または
受信ユニットにより、端末によって送信された非アクティブ化要求メッセージを受信することであって、非アクティブ化要求メッセージが、端末を非アクティブ化するように第1の基地局に要求するために使用される、受信すること
である。
【００５１】
第6の態様または第6の態様の第1の可能な実装形態を参照して、第2の可能な実装形態では、指示情報は、セル再選択を実施するとき、第1の基地局によって制御されるセルを優先するように、非アクティブ状態にある端末に命令するために使用されるか、または
指示情報は、非アクティブ状態にある端末がセル再選択を実施するときに好ましいセルもしくは基地局を示すために使用される。
【００５２】
第6の態様または第6の態様の第1および第2の可能な実装形態を参照して、第3の可能な実装形態では、指示情報は、端末が第2の基地局によって制御されるセルに対して再選択を実施するとき、端末が第2の基地局によって制御されるセルに対して再選択を実施することを第2の基地局に通知するように命令するために使用され、かつ／または、指示情報は、端末が第2の基地局に対して再選択を実施した後、端末が第2の基地局においてアクティブ化プロセスを開始することを許可されたことを示すために使用され、
第1の基地局は、第2の基地局によって送信されたコンテキスト要求を受信するように構成された受信ユニットであって、コンテキスト要求が、ソースセル情報、端末の身元を識別するために使用される端末識別子情報、および対象セル情報を搬送する、受信ユニットをさらに含み、
送信ユニットは、第2の基地局に端末の確保されたコンテキスト情報を送信するようにさらに構成される。
【００５３】
第6の態様の第3の可能な実装形態を参照して、第4の可能な実装形態では、処理ユニットは、対象セル情報に基づいて第1の鍵を生成するようにさらに構成され、
送信ユニットは、第2の基地局に第1の鍵を送信するようにさらに構成される。
【００５４】
第6の態様の第3または第4の可能な実装形態を参照して、第5の可能な実装形態では、第1の基地局は、MMEまたは第2の基地局によって送信されたコンテキスト情報解放メッセージを受信するように構成された受信ユニットをさらに含み、
処理ユニットは、コンテキスト情報解放メッセージに従って、確保されたコンテキスト情報を解放するようにさらに構成される。
【００５５】
第6の態様または第6の態様の第1の可能な実装形態を参照して、第6の可能な実装形態では、第1の基地局は、端末によって送信されたアクティブ化要求メッセージを受信するように構成された受信ユニットであって、アクティブ化要求メッセージが、ソースセル情報、および端末の身元を識別するために使用される端末識別子情報を搬送する、受信ユニットをさらに含み、
処理ユニットは、ソースセル情報に従って、ソースセルが第1の基地局のセルであると判断すると、端末のコンテキスト情報を取得するようにさらに構成され、
送信ユニットは、端末にアクティブ化メッセージを送信するようにさらに構成され、
受信ユニットは、端末によって送信されたアクティブ化完了メッセージを受信するようにさらに構成される。
【００５６】
第6の態様の第6の可能な実装形態を参照して、第7の可能な実装形態では、アクティブ化メッセージはコンテキスト更新パラメータを搬送する。
【００５７】
第6の態様の第6または第7の可能な実装形態を参照して、第8の可能な実装形態では、処理ユニットは、アクティブ化が開始されたセルのセル識別子情報、および端末によって確保されたコンテキスト情報に基づいて第2の鍵を導出し、第2の鍵に基づいて端末と通信するようにさらに構成される。
【００５８】
第6の態様の第6から第8の可能な実装形態を参照して、第9の可能な実装形態では、送信ユニットは、端末が接続状態に入ったことをモビリティ管理エンティティ（MME）に通知するために、MMEに通知メッセージを送信するようにさらに構成される。
【００５９】
第7の態様によれば、第2の基地局が提供され、第2の基地局は、
端末によって送信されたアクティブ化要求メッセージを受信するように構成された受信ユニットであって、アクティブ化要求メッセージが、ソースセル情報、および端末の身元を識別するために使用される端末識別子情報を搬送し、またはランダムアクセスプロセスを使用することにより、端末が第2の基地局によって制御されるセルに対して再選択を実施することを通知するために端末によって使用された通知メッセージを受信するように構成された、受信ユニットと、
アクティブ化要求メッセージまたは通知メッセージに従って、第1の基地局にコンテキスト要求を送信するように構成された送信ユニットであって、コンテキスト要求が端末のコンテキスト情報を要求するために使用され、コンテキスト要求が、ソースセル情報、および端末の身元を識別するために使用される端末識別子情報を搬送する、送信ユニットと
を含み、
受信ユニットは、端末のコンテキスト情報であり、コンテキスト要求に従って第1の基地局によって返信されたコンテキスト情報を受信するようにさらに構成される。
【００６０】
第7の態様を参照して、第1の可能な実装形態では、受信ユニットは、第1の基地局によって送信された第1の鍵を受信するようにさらに構成され、
第2の基地局は、第1の鍵に従って端末と通信するように構成された処理ユニットをさらに含む。
【００６１】
第7の態様または第7の態様の第1の可能な実装形態を参照して、第2の可能な実装形態では、送信ユニットは、モビリティ管理エンティティ（MME）に通知メッセージを送信するようにさらに構成され、通知メッセージは、端末が現在第2の基地局に位置することを示す情報をMMEに通知するために使用される。
【００６２】
第8の態様によれば、モビリティ管理エンティティ（MME）が提供され、MMEは、
第2の基地局によって送信された通知メッセージを受信するように構成された受信ユニットであって、通知メッセージが、端末が現在非アクティブ状態にあり、端末が第2の基地局によって制御されるセルに対して再選択を実施したことをMMEに通知するために使用される、受信ユニットと、
通知メッセージに従って第2の基地局にページングメッセージを送信するように構成された送信ユニットと
を含む。
【００６３】
第8の態様を参照して、第1の可能な実装形態では、MMEは、端末のS1インターフェースのデータリンクを第2の基地局に転送し、端末のコンテキスト情報解放メッセージを第1の基地局に送信するように構成された処理ユニットをさらに含む。
【００６４】
本発明の実施態様は、端末により、第1の基地局によって送信された非アクティブ化指示メッセージを受信するステップであって、非アクティブ化指示メッセージが端末のモビリティ制御に関する指示情報を搬送し、第1の基地局が端末のサービング基地局である、ステップと、端末により、非アクティブ化指示メッセージに従ってRRC接続を解放し、端末のコンテキスト情報を確保し、非アクティブ状態に入るステップとを含む、無線リソース制御（RRC）接続を解放する方法を提供する。この解決策では、端末のコンテキスト情報は解放される必要がなく、その結果、再び接続状態に入ったとき、端末は、再びコンテキスト情報を取得する必要がなく、それにより、シグナリングオーバーヘッドが低減される。
【図面の簡単な説明】
【００６５】
【図１】本発明の一実施形態による、RRC接続を解放することのフローチャートである。
【図２】本発明の一実施形態による、RRC接続を解放することの別のフローチャートである。
【図３】本発明の一実施形態による、RRC接続を解放することの別のフローチャートである。
【図４】本発明の一実施形態による、RRC接続を解放することの別のフローチャートである。
【図５】本発明の一実施形態による、RRC接続を解放することの別の実施形態である。
【図６】本発明の一実施形態による、RRC接続を解放することの別の実施形態である。
【図７】本発明の一実施形態による、RRC接続を解放することの別の実施形態である。
【図８Ａ】本発明の一実施形態による、端末の概略図である。
【図８Ｂ】本発明の一実施形態による、端末の別の概略図である。
【図９Ａ】本発明の一実施形態による、第1の基地局の概略図である。
【図９Ｂ】本発明の一実施形態による、第1の基地局の別の概略図である。
【図１０Ａ】本発明の一実施形態による、第2の基地局の概略図である。
【図１０Ｂ】本発明の一実施形態による、第2の基地局の別の概略図である。
【図１１Ａ】本発明の一実施形態による、MMEの概略図である。
【図１１Ｂ】本発明の一実施形態による、MMEの別の概略図である。
【発明を実施するための形態】
【００６６】
本発明の目的、技術的解決策、および利点をより明確にするために、以下で、添付の図面を参照して、本発明を詳細にさらに記載する。当然ながら、記載される実施形態は、本発明の実施形態のすべてではなく、一部にすぎない。創造的な努力なしに本発明の実施形態に基づいて、当業者によって取得されるすべての他の実施形態は、本発明の保護範囲内に入るべきである。
【００６７】
「複数の」は2つ以上を意味する。「および／または」という用語は、関連するオブジェクトを記述するための関連付け関係を記述し、3つの関係が存在する場合があることを表す。たとえば、Aおよび／またはBは、以下の3つのケース、すなわち、Aのみが存在すること、AとBの両方が存在すること、およびBのみが存在することを表すことができる。文字「／」は、概して、関連するオブジェクト間の「または」関係を示す。
【００６８】
以下で、添付図面を参照して詳細に本発明の好ましい実装形態が記載される。本明細書に記載される好ましい実施形態は本発明を例示および説明するために使用されるにすぎず、本発明を限定するものではないことを理解されたい。加えて、本出願の実施形態および実施形態における特徴は、互いに矛盾しないときに相互に結合される場合がある。
【００６９】
以下で、添付図面を参照して詳細に本発明の実施形態を記載する。
【００７０】
図1を参照すると、本発明の一実施形態では、RRC接続を解放する手順は以下の通りである。
【００７１】
ステップ100：端末が第1の基地局によって送信された非アクティブ化指示メッセージを受信し、非アクティブ化指示メッセージは端末のモビリティ制御に関する指示情報を搬送し、第1の基地局は端末のサービング基地局である。
【００７２】
ステップ110：端末が非アクティブ化指示メッセージに従ってRRC接続を解放し、端末のコンテキスト情報を確保し、非アクティブ状態に入る。
【００７３】
図1に示された手順では、端末が接続状態にあることが前提として使用されることに留意されたい。したがって、ステップ100は、以下の形式で記載される場合もある。
【００７４】
接続状態にある端末が第1の基地局によって送信された非アクティブ化指示メッセージを受信し、非アクティブ化指示メッセージは端末のモビリティ制御に関する指示情報を搬送し、第1の基地局は端末のサービング基地局である。
【００７５】
本発明のこの実施形態では、非アクティブ化指示メッセージは新しいフォーマットのメッセージであり得る。非アクティブ化指示メッセージを受信すると、端末は、この新しいフォーマットに従って、非アクティブ状態に入ることを決定することができる。当然、元のメッセージフォーマットが代替として使用される場合がある。この場合、端末は、非アクティブ化指示メッセージ内の特別な識別子に従って、端末が非アクティブ状態に入るように命令されたことを識別することができる。
【００７６】
本発明のこの実施形態では、非アクティブ化指示メッセージを送信するように第1の基地局をトリガする条件は、非アクティブ化指示メッセージを送信するように端末が第1の基地局に要求することであり得るか、または第1の基地局がそれ自体で決定し、次いで非アクティブ化指示メッセージを送信することであり得る。したがって、さらに場合によっては、端末により、第1の基地局によって送信された非アクティブ化指示メッセージを受信するステップの前に、方法は、以下の動作：
端末により、第1の基地局に非アクティブ化要求メッセージを送信するステップであって、非アクティブ化要求メッセージが、端末を非アクティブ化するように第1の基地局に要求するために使用される、ステップ
をさらに含む。
【００７７】
端末が第1の基地局に非アクティブ化要求メッセージを送信するとき、場合によっては、端末は、データパケットが不連続に送信されたことを識別する。この場合、端末は、第1の基地局に非アクティブ化要求メッセージを送信することができる。
【００７８】
本発明のこの実施形態では、場合によっては、指示情報は、セル再選択を実施するとき、第1の基地局によって制御されるセルを優先するように、非アクティブ状態にある端末に命令するために使用される。
【００７９】
この場合、さらに、端末により、非アクティブ状態に入るステップの後に、方法は、以下の動作：
端末のセル再選択中、指示情報に従って、再選択条件を満たす第1の対象セルが第1の基地局によって制御されるセルの中に存在すると判断すると、第1の対象セルに対してセル再選択を実施するステップ
をさらに含む。
【００８０】
前述では、再選択条件を満たす第1の対象セルが第1の基地局によって制御されるセルの中に存在するケースを記載した。当然、実施の適用例では、再選択条件を満たす第1の対象セルが第1の基地局によって制御されるセルの中に存在しないケースがあり得る。したがって、さらに、端末により、非アクティブ状態に入るステップの後に、方法は、以下の動作：
端末のセル再選択中、指示情報に従って、再選択条件を満たす第1の対象セルが第1の基地局によって制御されるセルの中に存在しないと判断すると、ブロードキャストされたセル再選択優先情報に従ってセル再選択を実施するステップ
をさらに含む。
【００８１】
たとえば、合計3つの基地局：基地局1、基地局2、および基地局3が存在する。基地局1は端末のサービング基地局であり、各基地局は4つのセルを供給する。端末がセル再選択を実施する必要があるとき、端末は最初に、指示情報に従って、再選択条件を満たす第1の対象セルが基地局1の3つのセルの中に存在するかどうかをチェックする。そうである場合、端末は、基地局1のセルから選択された第1の対象セルに対してセル再選択を実施する。そうでない場合、端末は、ブロードキャストされたセル再選択優先情報に従って11個のセルから第1の対象セルを選択し、次いで第1の対象セルに対して再選択を実施するか、または基地局1の4つのセルを除外し、基地局2および基地局3のセル（8個のセル）から第1の対象セルを選択する。
【００８２】
第1の基地局のセルは、主として端末のコンテキスト情報を記憶するので好ましい。端末がアクティブ化されると、第1の基地局は、別の基地局から端末のコンテキスト情報を取得する必要がない。したがって、アクティブ化時間遅延が低減され、アクティブ化効率が増大する。
【００８３】
前述の説明では、セル再選択中、端末は第1の基地局のセルを優先する。場合によっては、指示情報は、非アクティブ状態にある端末がセル再選択を実施するときに好ましいセルまたは基地局を示すために使用される。本明細書に記載される好ましいセルまたは基地局は、1つのセルもしくは1つの基地局の場合があるか、または複数のセルの場合があり、複数のセルが存在するとき、複数のセルはセルリストを形成することができ、または複数の基地局の場合があり、複数の基地局が存在するとき、複数の基地局は基地局リストを形成することができる。
【００８４】
端末により、非アクティブ状態に入るステップの後に、方法は、以下の動作：
端末のセル再選択中、指示情報に従って、再選択条件を満たす第2の対象セルが、好ましいセル、または好ましい基地局によって制御されるセルの中に存在すると判断すると、第2の対象セルに対してセル再選択を実施するステップ
をさらに含む。
【００８５】
さらに、端末により、非アクティブ状態に入るステップの後に、方法は、以下の動作：
端末のセル再選択中、指示情報に従って、再選択条件を満たす第2の対象セルが、好ましいセル、または好ましい基地局によって制御されるセルの中に存在しないと判断すると、ブロードキャストされたセル再選択優先情報に従ってセル再選択を実施するステップ
をさらに含む。
【００８６】
たとえば、3つの好ましい基地局：基地局1、基地局2、および基地局3が存在する。各基地局は4つのセルを供給する。端末がセル再選択を実施する必要があるとき、端末は最初に、指示情報に従って、再選択条件を満たす第2の対象セルが3つの基地局の12個のセルの中に存在するかどうかをチェックする。そうである場合、端末は、3つの基地局のセルから選択された第2の対象セルにアクセスする。そうでない場合、端末は、ブロードキャストされたセル再選択優先情報に従って第2の対象セルを選択し、次いで第2の対象セルに対して再選択を実施する。
【００８７】
好ましいセルまたは基地局は、端末の記憶されたコンテキスト情報を抽出する。このようにして、端末がアクティブ化されると、好ましいセルまたは基地局は、第1の基地局から端末のコンテキスト情報を取得する必要がない。したがって、アクティブ化時間遅延が低減され、アクティブ化効率が増大する。
【００８８】
本発明のこの実施形態では、場合によっては、指示情報は、端末が第2の基地局によって制御されるセルに対して再選択を実施するとき、端末が第2の基地局によって制御されるセルに対して再選択を実施することを第2の基地局に通知するように命令するために使用される。このようにして、第2の基地局は、前もって第1の基地局から端末のコンテキスト情報を取得することができ、その結果、端末がデータ伝送を実施する必要があるときに端末をアクティブ化する手順はより速く、データ伝送時間遅延が低減され、加えて、正確なページングを実施することができ、限られたページングリソースが節約され、ページング輻輳の可能性が低減される。
【００８９】
この場合、端末により、非アクティブ状態に入るステップの後に、方法は、以下の動作：
第2の基地局によって制御されるセルに対してセル再選択を実施するとき、端末により、指示情報に従って、端末が第2の基地局によって制御されるセルに対して再選択を実施することを第2の基地局に通知するステップ
をさらに含む。
【００９０】
本発明のこの実施形態では、さらに、端末が第2の基地局によって制御されるセルに対して再選択を実施したとき、第2の基地局は、端末に基地局変更応答メッセージを送信して、端末が第2の基地局によって制御されるセルに対する再選択の実施に成功したことを示す必要がある。
【００９１】
本発明のこの実施形態では、指示情報は、端末が第2の基地局によって制御されるセルに対して再選択を実施するとき、端末が第2の基地局によって制御されるセルに対して再選択を実施することを第2の基地局に通知するように命令するために使用される。第1の基地局は、端末の時間遅延、サービス品質（Quality of Service、QoS）、および、ページングリソースが輻輳したかどうかなどの要因に従って、指示情報を構成して、前述の機能を実現することができる。
【００９２】
本発明のこの実施形態では、場合によっては、シグナリングオーバーヘッドを低減し、リソースの浪費を防止するために、端末が、指示情報に従って、端末が第2の基地局によって制御されるセルに対して再選択を実施することを第2の基地局に通知するとき、端末は、場合によっては、以下の方式：
端末により、指示情報に従って、ランダムアクセスプロセスを使用することにより、端末が第2の基地局によって制御されるセルに対して再選択を実施することを第2の基地局に通知すること
を使用することができる。
【００９３】
本発明のこの実施形態では、端末は、以下の方式：
端末により、第2の基地局にランダムアクセス（Random Access、RA）Preambleを送信し、第2の基地局により、RA Preambleを受信した後、端末にRA応答を送信すること
でランダムアクセスを確立することができる。
【００９４】
さらに、端末が第2の基地局によって制御されるセルに対して再選択を実施することを第2の基地局に通知するとき、端末は、ソースセル情報、および端末の身元を識別するために使用される端末識別子情報を第2の基地局にさらに知らせる。
【００９５】
ランダムアクセスプロセスを実施した後、端末はRRC接続を確立する必要がないことに留意されたい。したがって、前述の、端末により、ランダムアクセスプロセスを使用することにより、端末が第2の基地局によって制御されるセルに対して再選択を実施することを第2の基地局に通知することは、端末が第2の基地局によって制御されるセルに対して再選択を実施することを第2の基地局に通知するためにRRC接続を確立する必要なしに、端末が、ランダムアクセスプロセスを直接使用することにより、端末が第2の基地局によって制御されるセルに対して再選択を実施することを第2の基地局に通知することを意味する。端末はRRC接続を確立することを回避することができ、したがって、アクティブ化効率を増大することができる。
【００９６】
本発明のこの実施形態では、場合によっては、ソースセル情報は、発展型セルグローバル識別子（Evolved Cell Global Identifier、ECGI）または周波数＋物理セル識別子（Physical cell Identifier、PCI）を含む。
【００９７】
本発明のこの実施形態では、場合によっては、指示情報は、端末が第2の基地局によって制御されるセルに対して再選択を実施した後、端末が第2の基地局においてアクティブ化プロセスを開始することを許可されたことを示すために使用される。このようにして、第2の基地局に対して再選択を実施するとき、端末は、第2の基地局のセルにおいてアクティブ化プロセスを開始することができ、データ伝送時間遅延が低減される。
【００９８】
さらに、端末により、非アクティブ状態に入るステップの後に、方法は、以下の動作：
端末が第2の基地局によって制御されるセルに対してセル再選択を実施した後、事前設定された条件が満たされたと判断すると、端末により、第2の基地局にアクティブ化要求メッセージを送信するステップであって、アクティブ化要求メッセージが、ソースセル情報、および端末の身元を識別するために使用される端末識別子情報を搬送する、ステップと、
端末により、第2の基地局によって送信されたアクティブ化メッセージを受信し、アクティブ化メッセージに従ってコンテキストを回復するステップと、
端末により、第2の基地局にアクティブ化完了メッセージを送信し、接続状態に入るステップと
をさらに含む。
【００９９】
前述の説明では、端末は第2の基地局のセルに対して再選択を実施する。当然、実施の適用例では、端末は代替として第1の基地局のセルに対して再選択を実施する場合がある。したがって、本発明のこの実装形態では、端末により、非アクティブ状態に入るステップの後に、方法は、以下の動作：
事前設定された条件が満たされたと端末が判断すると、端末により、第1の基地局にアクティブ化要求メッセージを送信するステップであって、アクティブ化要求メッセージが、ソースセル情報、および端末の身元を識別するために使用される端末識別子情報を搬送する、ステップと、
端末により、第1の基地局によって送信されたアクティブ化メッセージを受信し、アクティブ化メッセージに従ってコンテキストを回復するステップと、
端末により、ソース基地局にアクティブ化完了メッセージを送信し、接続状態に入るステップと
をさらに含む。
【０１００】
すなわち、端末が第1の基地局のセルに対して再選択を実施するとき、端末は、アクティブ化される必要があるときに第1の基地局にアクティブ化要求メッセージを送信し、端末が第2の基地局のセルに対して再選択を実施するとき、端末は、アクティブ化される必要があるときに第2の基地局にアクティブ化要求メッセージを送信する。
【０１０１】
事前設定された条件が満たされたと端末が判断するとき、場合によっては、以下の方式：
ページングメッセージが受信されたと端末が判断すること、または
アップリンクデータが到達したと端末が判断すること、または
端末が追跡エリア更新（Tracking Area Update、TAU）を実施する必要があること
が使用される場合がある。
【０１０２】
本発明のこの実装形態では、端末が第1の基地局にアクティブ化要求メッセージを送信した後、端末は、第1の基地局によって送信されたアクティブ化メッセージを受信しないが、第1の基地局によって送信されたアクティブ化拒否メッセージを受信する場合がある。この場合、端末は、確保されたコンテキスト情報を削除し、新しいRRC接続を確立するプロセスを開始する必要がある。
【０１０３】
本発明のこの実装形態では、コンテキストを回復した後、端末は、場合によっては、確保されたコンテキストを更新する必要がある。したがって、本発明のこの実装形態では、アクティブ化メッセージはコンテキスト更新パラメータを搬送する。
【０１０４】
この場合、端末により、アクティブ化メッセージに従ってコンテキストを回復するステップの後に、方法は、以下の動作：
端末により、コンテキスト更新パラメータに従って確保されたコンテキストを更新するステップ
をさらに含む。
【０１０５】
セキュリティを高めるために、セル再選択を実施した後、端末は新しい鍵に基づいて基地局と対話する必要がある。したがって、本発明のこの実装形態では、端末により、第1の基地局または第2の基地局によって送信されたアクティブ化メッセージを受信するステップの後に、方法は、以下の動作：
端末により、アクティブ化を開始したセルについての情報および端末によって確保されたコンテキスト情報に基づいて、第1の鍵または第2の鍵を導出するステップと、
端末により、第1の鍵に基づいて第1の基地局と通信するか、または第2の鍵に基づいて第2の基地局と通信するステップと
をさらに含む。
【０１０６】
端末のコンテキスト情報のハンギングによって引き起こされるリソース占有を防止し、さらに、端末のリソース利用率を上昇させるために、非アクティブ化指示メッセージは、端末のコンテキスト有効期間情報をさらに搬送する。
【０１０７】
端末により、非アクティブ状態に入るステップの後に、方法は、以下の動作：
端末により、端末が非アクティブ状態に入るときにコンテキスト有効期間タイマを開始し、コンテキスト有効期間タイマがタイムアウトした場合、端末のコンテキスト情報を解放するステップ
をさらに含む。
【０１０８】
この解決策では、RRC接続を解放するとき、端末は端末のコンテキスト情報を解放する必要がない。このようにして、再び接続状態に入るとき、端末は再びコンテキスト情報を取得する必要がない。したがって、シグナリングオーバーヘッドが低減される。本発明のこの実装形態では、端末が非アクティブ状態に入った後、端末のセル無線ネットワーク一時識別子（Cell Radio Network Temporary Identifier、C-RNTI）が解放され、基地局は、使用するために別の端末にC-RNTIを割り振ることができる。端末がアクティブ化された後、基地局は、使用するためにその端末に新しいC-RNTIを割り振る。
【０１０９】
端末が非アクティブ状態に入った後、測定構成が確保される。しかしながら、非アクティブ状態では、端末は、これらの測定構成を使用して非アクティブ状態の測定を実施しないが、システム情報内でブロードキャストされたセル再選択パラメータを使用することによって測定を実施する。アクティブ化されると、端末は、測定構成を使用して測定を実施することを続行する。
【０１１０】
本発明のこの実装形態では、場合によっては、端末のコンテキスト情報は、RRC構成、ベアラ構成、セキュリティコンテキスト情報などを含む場合がある。
【０１１１】
本発明のこの実装形態では、場合によっては、端末識別子情報は、C-RNTI、およびショート媒体アクセス制御（Media Access Control、MAC）-Iを含む。
【０１１２】
本発明のこの実装形態では、非アクティブ化指示メッセージを受信した後、第1の基地局もコンテキスト有効期間タイマを開始し、コンテキスト有効期間タイマがタイムアウトすると、端末のコンテキスト情報を解放する必要がある。
【０１１３】
上述されたすべてのコンテンツは、非アクティブ化指示メッセージが指示情報を搬送することに基づいて実施される。当然、実際の適用例では、指示情報によって示されるコンテンツは、代替としてプロトコル内で規定される場合がある。この場合、端末が非アクティブ化指示メッセージを受信すると、端末は、プロトコル内の規定に従ってコンテンツを実施する。たとえば、プロトコルは、端末がアクティブ状態に入った後、再選択を実施するときに端末がサービング基地局のセルを優先することを規定する。したがって、本発明のこの実施形態は、以下の方法：
端末により、第1の基地局によって送信された非アクティブ化指示メッセージを受信するステップであって、第1の基地局が端末のサービング基地局である、ステップと、
端末により、非アクティブ化指示メッセージに従ってRRC接続を解放し、端末のコンテキスト情報を確保し、非アクティブ状態に入るステップと
をさらに含む。
【０１１４】
端末のセル再選択中、端末は、再選択条件を満たす第1の対象セルが第1の基地局によって制御されるセルの中に存在するかどうかを判定する。そうである場合、端末は、第1の対象セルに対してセル再選択を実施する。そうでない場合、端末は、ブロードキャストされたセル再選択優先情報に従ってセル再選択を実施する。
【０１１５】
前述の説明では、プロトコルは、端末がアクティブ状態に入った後、再選択を実施するときに端末がサービング基地局のセルを優先することを規定する。当然、プロトコルは、代替として、端末が第2の基地局によって制御されるセルに対して再選択を実施するときに、端末がその情報を第2の基地局に通知する必要があることを規定する場合がある。したがって、本発明のこの実施形態は、以下の方法：
端末により、第1の基地局によって送信された非アクティブ化指示メッセージを受信するステップであって、第1の基地局が端末のサービング基地局である、ステップと、
端末により、非アクティブ化指示メッセージに従ってRRC接続を解放し、端末のコンテキスト情報を確保し、非アクティブ状態に入るステップと
をさらに含む。
【０１１６】
第2の基地局によって制御されるセルに対してセル再選択を実施するとき、端末は、端末が第2の基地局によって制御されるセルに対して再選択を実施することを第2の基地局に通知する。
【０１１７】
代替として、プロトコルは、事前設定された条件が満たされると、端末が端末のサービング基地局にアクティブ化要求メッセージを送信することを規定する場合がある。したがって、本発明のこの実装形態では、以下の方法：
端末により、第1の基地局によって送信された非アクティブ化指示メッセージを受信するステップであって、第1の基地局が端末のサービング基地局である、ステップと、
端末により、非アクティブ化指示メッセージに従ってRRC接続を解放し、端末のコンテキスト情報を確保し、非アクティブ状態に入るステップと
事前設定された条件が満たされたと端末が判断すると、端末により、第1の基地局にアクティブ化要求メッセージを送信するステップであって、アクティブ化要求メッセージが、ソースセル情報、および端末の身元を識別するために使用される端末識別子情報を搬送する、ステップと、
端末により、第1の基地局によって送信されたアクティブ化メッセージを受信し、アクティブ化メッセージに従ってコンテキストを回復するステップと、
端末により、ソース基地局にアクティブ化完了メッセージを送信し、接続状態に入るステップと
をさらに含む。
【０１１８】
場合によっては、事前設定された条件が満たされたと端末が判断することは、以下の方式：
ページングメッセージが受信されたと端末が判断すること、または
アップリンクデータが到達したと端末が判断すること、または
端末がTAUを実施する必要があること
を含む。
【０１１９】
図2を参照すると、本発明の一実施形態では、RRC接続を解放する手順は以下の通りである。
【０１２０】
ステップ200：事前設定された条件が満たされたと第1の基地局が判断する。
【０１２１】
ステップ210：事前設定された条件が満たされたと判断した後に、第1の基地局が端末に非アクティブ化指示メッセージを送信し、非アクティブ化指示メッセージは端末のモビリティ制御に関する指示情報を搬送し、第1の基地局は端末のサービング基地局である。
【０１２２】
ステップ210における端末は接続状態にある端末であることに留意されたい。
【０１２３】
本発明のこの実施形態では、非アクティブ化指示メッセージは新しいフォーマットのメッセージであり得る。非アクティブ化指示メッセージを受信すると、端末は、この新しいフォーマットに従って、非アクティブ状態に入ることを決定することができる。当然、元のメッセージフォーマットが代替として使用される場合がある。この場合、端末は、非アクティブ化指示メッセージ内の特別な識別子に従って、端末が非アクティブ状態に入るように命令されたことを識別することができる。
【０１２４】
本発明のこの実施形態では、事前設定された条件が満たされたと第1の基地局が判断するとき、場合によっては、以下の方式：
第1の基地局により、非アクティブタイマがタイムアウトしたと判断すること、または
第1の基地局により、端末によって送信された非アクティブ化要求メッセージを受信することであって、非アクティブ化要求メッセージが、端末を非アクティブ化するように第1の基地局に要求するために使用される、受信すること
が使用される場合がある。
【０１２５】
すなわち、端末に非アクティブ化指示メッセージを送信するように第1の基地局をトリガするための2つの条件があり、1つは、非アクティブタイマがタイムアウトしたと第1の基地局が判断することであり、もう1つは、第1の基地局が端末によって送信された非アクティブ化要求メッセージを受信することである。当然、さらに別のトリガ条件があり得る。これは、本明細書では具体的に限定されない。
【０１２６】
本発明のこの実施形態では、場合によっては、指示情報は、セル再選択を実施するとき、第1の基地局によって制御されるセルを優先するように、非アクティブ状態にある端末に命令するために使用されるか、または
指示情報は、非アクティブ状態にある端末がセル再選択を実施するときに好ましいセルもしくは基地局を示すために使用される。
【０１２７】
本発明のこの実施形態では、場合によっては、指示情報は、端末が第2の基地局によって制御されるセルに対して再選択を実施するとき、端末が第2の基地局によって制御されるセルに対して再選択を実施することを第2の基地局に通知するように命令するために使用され、かつ／または、指示情報は、端末が第2の基地局に対して再選択を実施した後、端末が第2の基地局においてアクティブ化プロセスを開始することを許可されたことを示すために使用され、
第1の基地局により、端末に非アクティブ化指示メッセージを送信するステップの後に、方法は、以下の動作：
第1の基地局により、第2の基地局によって送信されたコンテキスト要求を受信するステップであって、コンテキスト要求が、ソースセル情報、端末の身元を識別するために使用される端末識別子情報、および対象セル情報を搬送する、ステップと、
第1の基地局により、コンテキスト要求に従って、第2の基地局に端末の確保されたコンテキスト情報を送信するステップと
をさらに含む。
【０１２８】
本発明のこの実施形態では、場合によっては、ソースセル情報はECGIおよび周波数＋PCIを含む。
【０１２９】
ソースセルは、端末が非アクティブ化指示メッセージを受信したときに端末が位置するサービングセルであるか、または、別の基地局によって制御されるセルに対して再選択が実施されることを端末が前回別のセルに通知したときに端末が位置するキャンプオンセルもしくはサービングセルであり得ることに留意されたい。対象セルは、端末がアクティブ化プロセスを開始するときのキャンプオンセルもしくはサービングセルであるか、または端末が第2の基地局によって制御されるセルに対して再選択を実施することを端末が第2のセルに通知するときのキャンプオンセルもしくはサービングセルである
【０１３０】
本発明のこの実施形態では、第1の基地局は、端末の時間遅延、QoS、およびページングリソースが輻輳しているかどうかなどの要因に従って、端末が第2の基地局によって制御されるセルに対して再選択を実施するとき、端末が第2の基地局によって制御されるセルに対して再選択を実施することを第2の基地局に通知するように命令するために使用されるべき指示情報を構成することができる。
【０１３１】
セキュリティを高めるために、本発明のこの実施形態では、第1の基地局により、第2の基地局によって送信されたコンテキスト要求を受信するステップの後に、方法は、以下の動作：
第1の基地局により、対象セル情報に基づいて第1の鍵を生成し、第2の基地局に第1の鍵を送信するステップ
をさらに含む。
【０１３２】
リソース利用率を上昇させるために、本発明のこの実施形態では、さらに、第1の基地局により、第2の基地局に端末のコンテキスト情報を送信するステップの後に、方法は、以下の動作：
第1の基地局により、MMEまたは第2の基地局によって送信されたコンテキスト情報解放メッセージを受信し、コンテキスト情報解放メッセージに従って、確保されたコンテキスト情報を解放するステップ
をさらに含む。
【０１３３】
前述の説明は、端末が第2の基地局のセルに対して再選択を実施するケースを記載する。実施の適用例では、端末は、代替として、第1の基地局のセルに対して再選択を実施する場合がある。したがって、本発明のこの実施形態では、第1の基地局により、端末に非アクティブ化指示メッセージを送信するステップの後に、方法は、以下の動作：
第1の基地局により、端末によって送信されたアクティブ化要求メッセージを受信するステップであって、アクティブ化要求メッセージが、ソースセル情報、および端末の身元を識別するために使用される端末識別子情報を搬送する、ステップと、
ソースセル情報に従って、ソースセルが第1の基地局のセルであると判断すると、第1の基地局により、端末のコンテキスト情報を取得するステップと、
第1の基地局により、端末にアクティブ化メッセージを送信するステップと、
第1の基地局により、端末によって送信されたアクティブ化完了メッセージを受信するステップと
をさらに含む。
【０１３４】
本発明のこの実装形態では、場合によっては、アクティブ化メッセージはコンテキスト更新パラメータを搬送する。
【０１３５】
このようにして、アクティブ化メッセージを受信すると、端末は、コンテキスト更新パラメータに従って、取得されたコンテキスト情報を更新することができる。
【０１３６】
本発明のこの実装形態では、さらに、セキュリティを高めるために、第1の基地局により、端末によって送信されたアクティブ化要求メッセージを受信するステップの後に、方法は、以下の動作：
第1の基地局により、アクティブ化が開始されたセルのセル識別子情報、および端末によって確保されたコンテキスト情報に基づいて第2の鍵を導出するステップと、
第1の基地局により、第2の鍵に基づいて端末と通信するステップと
をさらに含む。
【０１３７】
本発明のこの実装形態では、第1の基地局により、端末によって送信されたアクティブ化完了メッセージを受信するステップの後に、方法は、以下の動作：
第1の基地局により、端末が接続状態に入ったことをモビリティ管理エンティティ（MME）に通知するために、MMEに通知メッセージを送信するステップ
をさらに含む。
【０１３８】
このようにして、MMEは、端末が接続状態に入ったことを示す情報をサービングゲートウェイ（Serving Gateway、S-GW）に知らせる。通知メッセージを受信した後、S-GWは、端末が基地局とのRRC接続を確立したと判断し、その結果、S-GWは端末にデータを直接送信することができる。S-GWが端末と対話する必要があるとき、S-GWはページングメッセージを送信する必要がなく、それにより、エアインターフェースのページングリソースオーバーヘッドが低減される。
【０１３９】
同様に、端末がアクティブ状態に入ったとき、第1の基地局はまた、MMEに伝える必要があり、MMEは、端末がアクティブ状態に入ったことを示す情報をS-GWに知らせる。このようにして、S-GWは、端末にデータを直接送信することができず、ページングを実施する必要がある。
【０１４０】
前述では、第1の基地局により、端末によって送信されたアクティブ化要求メッセージを受信した後、端末にアクティブ化メッセージを送信するプロセスを記載した。実際の適用例では、端末によって送信されたアクティブ化要求メッセージを受信した後、第1の基地局は、端末にアクティブ化メッセージを送信しない場合がある。
【０１４１】
たとえば、第1の基地局が端末のコンテキスト情報を見つけないか、または基地局がアクティブ化を実施しないように決定すると、第1の基地局は、端末にアクティブ化拒否メッセージを送信する必要がある。
【０１４２】
場合によっては、アクティブ化拒否メッセージはアクティブ化拒否理由を含む場合がある。
【０１４３】
本発明のこの実装形態では、場合によっては、端末のコンテキスト情報は、RRC構成、ベアラ構成、セキュリティコンテキスト情報などを含む場合がある。
【０１４４】
本発明のこの実装形態では、場合によっては、端末識別子情報は、C-RNTIおよびshort MAC-Iを含む。
【０１４５】
図3を参照すると、本発明の一実施形態では、RRC接続を解放する手順は以下の通りである。
【０１４６】
ステップ300：第2の基地局が、端末によって送信されたアクティブ化要求メッセージを受信することであって、アクティブ化要求メッセージが、ソースセル情報、および端末の身元を識別するために使用される端末識別子情報を搬送する、受信すること、またはランダムアクセスプロセスを使用することにより、端末が第2の基地局によって制御されるセルに対して再選択を実施したことを通知するために端末によって使用された通知メッセージを受信することを行う。
【０１４７】
ステップ310：第2の基地局が、アクティブ化要求メッセージまたは通知メッセージに従って、第1の基地局にコンテキスト要求を送信し、コンテキスト要求は端末のコンテキスト情報を要求するために使用され、コンテキスト要求は、ソースセル情報、および端末の身元を識別するために使用される端末識別子情報を搬送する。
【０１４８】
ステップ320：第2の基地局が、端末のコンテキスト情報であり、コンテキスト要求に従って第1の基地局によって返信されたコンテキスト情報を受信する。
【０１４９】
本発明のこの実施形態では、場合によっては、ソースセル情報はECGIおよび周波数＋PCIを含む。
【０１５０】
本発明のこの実施形態では、第2の基地局は、端末によって送信されたアクティブ化要求メッセージを受信することであって、アクティブ化要求メッセージが、ソースセル情報、および端末の身元を識別するために使用される端末識別子情報を搬送する、受信すること、またはランダムアクセスプロセスを使用することにより、端末が第2の基地局によって制御されるセルに対して再選択を実施したことを通知するために端末によって使用された通知メッセージを受信することを行う。
【０１５１】
すなわち、第1の基地局にコンテキスト要求を送信するように第2の基地局をトリガするための、以下の2つの条件があり得る。
【０１５２】
1つは、第2の基地局が端末によって送信されたアクティブ化要求メッセージを受信することである。もう1つは、端末が第2の基地局によって制御されるセルに対して再選択を実施したと第2の基地局が判断することである。
【０１５３】
本発明のこの実施形態では、端末が第2の基地局によって制御されるセルに対して再選択を実施したと第2の基地局が判断すると、第2の基地局は、端末に基地局変更応答メッセージを送信して、端末が第2の基地局によって制御されるセルに対する再選択の実施に成功したことを示す必要がある。
【０１５４】
本発明のこの実施形態では、さらに、第2の基地局により、端末によって送信されたアクティブ化要求メッセージを受信することの後に、かつ第2の基地局により、第1の基地局にコンテキスト要求を送信することの前に、以下の動作：
第2の基地局により、ソースセル情報に従って、ソースセルが第2の基地局によって制御されるセルではないと判断すること
がさらに実施される必要がある。
【０１５５】
本発明のこの実施形態では、さらに、第2の基地局により、端末のコンテキスト情報であり、コンテキスト要求に従って第1の基地局によって返信されたコンテキスト情報を受信するステップの後に、方法は、以下の動作：
第2の基地局により、端末にアクティブ化メッセージを送信するステップと、
第2の基地局により、端末によって送信されたアクティブ化完了メッセージを受信し、端末が接続状態に入ったと判断するステップと
をさらに含む。
【０１５６】
本発明のこの実施形態では、端末が接続状態に入ったと判断した後に、第2の基地局はさらに、MMEに経路変更要求メッセージを送信し、MMEが第2の基地局に端末のS1インターフェースのデータリンクを転送するときにMMEによって送信された経路変更応答メッセージを受信する必要がある。
【０１５７】
本発明のこの実施形態では、リソース利用率を上昇させるために、第2の基地局がMMEによって送信された経路変更応答メッセージを受信した後に、方法は、以下の動作：
第2の基地局により、第1の基地局にコンテキスト情報解放メッセージを送信するステップ
をさらに含む。
【０１５８】
セキュリティを高めるために、本発明のこの実施形態では、さらに、第2の基地局により、第1の基地局にコンテキスト要求を送信するステップの後に、方法は、以下の動作：
第2の基地局により、第1の基地局によって送信された第1の鍵を受信するステップと、
第2の基地局により、第1の鍵に従って端末と通信するステップと
をさらに含む。
【０１５９】
本発明のこの実施形態では、さらに、第2の基地局により、端末のコンテキスト情報であり、コンテキスト要求に従って第1の基地局によって返信されたコンテキスト情報を受信するステップの後に、方法は、以下の動作：
第2の基地局により、モビリティ管理エンティティ（MME）に通知メッセージを送信するステップであって、通知メッセージが、端末が現在第2の基地局に位置することを示す情報をMMEに通知するために使用される、ステップ
をさらに含む。
【０１６０】
このようにして、通知メッセージを受信した後、MMEは、それ以上大きい範囲の複数の基地局にページングメッセージを配信しないが、第2の基地局にページングメッセージを直接送信し、それにより、エアインターフェースのページングリソースオーバーヘッドが低減される。
【０１６１】
本発明のこの実装形態では、場合によっては、端末識別子情報は、C-RNTIおよびshort MAC-Iを含む。
【０１６２】
図4を参照すると、本発明の一実施形態では、RRC接続を解放する手順は以下の通りである。
【０１６３】
ステップ400：MMEが、第2の基地局によって送信された通知メッセージを受信し、通知メッセージは、端末が現在非アクティブ状態にあり、端末が第2の基地局によって制御されるセルに対して再選択を実施したことをMMEに通知するために使用される。
【０１６４】
ステップ410：MMEが、通知メッセージに従って第2の基地局にページングメッセージを送信する。
【０１６５】
本発明のこの実装形態では、ダウンリンクデータが端末に到達すると、MMEは、TAリストに従って複数の基地局にページングメッセージを配信しないが、第2の基地局にページングメッセージを直接送信し、それにより、エアインターフェースのページングリソースオーバーヘッドが低減される。
【０１６６】
本発明のこの実装形態では、リソース利用率を上昇させるために、MMEにより、第2の基地局によって送信された通知メッセージを受信するステップの後に、方法は、以下の動作：
MMEにより、端末のS1インターフェースのデータリンクを第2の基地局に転送するステップと、
MMEにより、端末のコンテキスト情報解放メッセージを第1の基地局に送信するステップと
をさらに含む。
【０１６７】
本発明のこの実装形態では、場合によっては、MMEは第1の基地局によって送信された通知メッセージを受信し、通知メッセージは、端末がアクティブ状態から接続状態に入ったことをMMEに通知するために使用される。このようにして、MMEは、端末が接続状態に入ったことを示す情報をS-GWに知らせ、その結果、S-GWは、端末と直接データ伝送を実施することができ、ページングメッセージの送信が回避される。
【０１６８】
本発明のこの実装形態をより良く理解するために、以下で、具体的な適用シナリオを提供して、さらに、RRC接続を解放するプロセスを詳細に記載する。
【０１６９】
図5に示されたように：実施形態1
【０１７０】
ステップ500：データ伝送が不連続であると判断すると、端末が第1の基地局に非アクティブ化要求メッセージを送信する。
【０１７１】
ステップ510：端末が第1の基地局によって送信された非アクティブ化指示メッセージを受信し、非アクティブ化指示メッセージは端末のモビリティ制御に関する指示情報を搬送し、指示情報は、端末が第2の基地局によって制御されるセルに対して再選択を実施するとき、端末が第2の基地局によって制御されるセルに対して再選択を実施することを第2の基地局に通知するように命令するために使用され、第1の基地局は端末のサービング基地局である。
【０１７２】
ステップ520：第1の基地局と端末の両方が端末のコンテキスト情報を確保し、コンテキスト有効期間タイマを開始する。
【０１７３】
ステップ530：第1の基地局が、端末がアクティブ状態に入ったことを示す情報をMMEに通知する。
【０１７４】
ステップ540：端末が、指示情報に従って、第2の基地局によって制御されるセルに対して再選択が実施されることを示す情報を第2の基地局に通知する。
【０１７５】
ステップ550：第2の基地局が第1の基地局にコンテキスト要求を送信し、コンテキスト要求は、ソースセル情報、端末の身元を識別するために使用される端末識別子情報、および対象セル情報を搬送する
【０１７６】
ステップ560：第1の基地局が、コンテキスト要求に従って端末のコンテキスト情報を取得し、第2の基地局に端末のコンテキスト情報を送信する。
【０１７７】
ステップ570：第2の基地局がMMEに経路変更要求メッセージを送信する。
【０１７８】
ステップ580：MMEが第2の基地局に端末のS1インターフェースのデータリンクを転送するとき、第2の基地局がMMEによって送信された経路変更応答メッセージを受信する。
【０１７９】
ステップ590：第2の基地局が、端末が第2の基地局によって制御されるセルに対する再選択の実施に成功したことを示す情報を端末に通知する。
【０１８０】
図5に示された実施形態は、端末がアクティブ状態に入るときに実施される動作を記載する。端末がアクティブ状態に入った後、場合によっては再びアクティブ化が実施される必要がある。したがって、端末をアクティブ化するプロセスを記載するために、以下の実施形態が提供される。
【０１８１】
実施形態2：図6を参照すると、この実施形態は、主として端末が第1の基地局においてアクティブ化されることを記載する。
【０１８２】
ステップ600：アップリンクデータおよびダウンリンクデータが端末に到達すると、端末が第1の基地局にアクティブ化要求メッセージを送信し、アクティブ化要求メッセージは、ソースセル情報、および端末の身元を識別するために使用される端末識別子情報を搬送する。
【０１８３】
ステップ610：第1の基地局が、ソースセル情報に従って、ソースセルが第1の基地局のセルであるかどうかを判定し、そうである場合、ステップ620を実施し、そうでない場合、ステップ650を実施する。
【０１８４】
ステップ620：第1の基地局が端末にアクティブ化メッセージを送信する。
【０１８５】
ステップ630：第1の基地局が端末によって送信されたアクティブ化完了メッセージを受信する。
【０１８６】
ステップ640：第1の基地局が、端末が接続状態に入ったことを示す情報をMMEに通知する。
【０１８７】
ステップ650：第1の基地局が端末にアクティブ化拒否メッセージを送信する。
【０１８８】
場合によっては、アクティブ化拒否メッセージはアクティブ化拒否理由を含む場合がある。
【０１８９】
実施形態3：図7を参照すると、この実施形態は、主として端末が第2の基地局においてアクティブ化されることを記載する。
【０１９０】
ステップ700：アップリンクデータおよびダウンリンクデータが端末に到達すると、端末が第2の基地局にアクティブ化要求メッセージを送信し、アクティブ化要求メッセージは、ソースセル情報、および端末の身元を識別するために使用される端末識別子情報を搬送する。
【０１９１】
ステップ710：第2の基地局が、ソースセル情報に従って、ソースセルが第2の基地局のセルであるかどうかを判定し、そうである場合、ステップ720を実施し、そうでない場合、ステップ760を実施する。
【０１９２】
ステップ720：第2の基地局が端末にアクティブ化メッセージを送信する。
【０１９３】
ステップ730：第2の基地局が端末によって送信されたアクティブ化完了メッセージを受信する。
【０１９４】
ステップ740：第2の基地局が、端末が接続状態に入ったことを示す情報をMMEに通知する。
【０１９５】
ステップ750：MMEが第1の基地局にコンテキスト情報解放メッセージを送信し、その結果、第1の基地局は、コンテキスト情報解放メッセージに従って、確保されたコンテキスト情報を解放する。
【０１９６】
ステップ760：第2の基地局が端末にアクティブ化拒否メッセージを送信する。
【０１９７】
場合によっては、アクティブ化拒否メッセージはアクティブ化拒否理由を含む場合がある。
【０１９８】
図8Aを参照すると、本発明のこの実施形態では、端末の概略図が提供される。端末は、受信ユニット80および処理ユニット81を含む。
【０１９９】
受信ユニット80は第1の基地局によって送信された非アクティブ化指示メッセージを受信し、非アクティブ化指示メッセージは端末のモビリティ制御に関する指示情報を搬送し、第1の基地局は端末のサービング基地局である。
【０２００】
処理ユニット81は、受信ユニット80によって受信された非アクティブ化指示メッセージに従って、RRC接続を解放し、端末のコンテキスト情報を確保し、非アクティブ状態に入るように構成される。
【０２０１】
本発明のこの実施形態では、さらに、端末は、第1の基地局に非アクティブ化要求メッセージを送信するように構成された送信ユニット82をさらに含み、非アクティブ化要求メッセージは、端末を非アクティブ化するように第1の基地局に要求するために使用される。
【０２０２】
場合によっては、指示情報は、セル再選択を実施するとき、第1の基地局によって制御されるセルを優先するように、非アクティブ状態にある端末に命令するために使用され、
処理ユニット81は、端末のセル再選択中、指示情報に従って、再選択条件を満たす第1の対象セルが第1の基地局によって制御されるセルの中に存在すると判断すると、第1の対象セルに対してセル再選択を実施するようにさらに構成される。
【０２０３】
さらに、処理ユニット81は、端末のセル再選択中、指示情報に従って、再選択条件を満たす第1の対象セルが第1の基地局によって制御されるセルの中に存在しないと判断すると、ブロードキャストされたセル再選択優先情報に従ってセル再選択を実施するようにさらに構成される。
【０２０４】
場合によっては、指示情報は、非アクティブ状態にある端末がセル再選択を実施するときに好ましいセルまたは基地局を示すために使用され、
処理ユニット81は、端末のセル再選択中、指示情報に従って、再選択条件を満たす第2の対象セルが、好ましいセル、または好ましい基地局によって制御されるセルの中に存在すると判断すると、第2の対象セルに対してセル再選択を実施するようにさらに構成される。
【０２０５】
さらに、処理ユニット81は、端末のセル再選択中、指示情報に従って、再選択条件を満たす第2の対象セルが、好ましいセル、または好ましい基地局によって制御されるセルの中に存在しないと判断すると、ブロードキャストされたセル再選択優先情報に従ってセル再選択を実施するようにさらに構成される。
【０２０６】
場合によっては、指示情報は、端末が第2の基地局によって制御されるセルに対して再選択を実施するとき、端末が第2の基地局によって制御されるセルに対して再選択を実施することを第2の基地局に通知するように命令するために使用され、
端末は、端末が第2の基地局によって制御されるセルに対してセル再選択を実施するとき、指示情報に従って、端末が第2の基地局によって制御されるセルに対して再選択を実施することを第2の基地局に通知するように構成された送信ユニット82をさらに含む。
【０２０７】
場合によっては、送信ユニット82が、指示情報に従って、端末が第2の基地局によって制御されるセルに対して再選択を実施することを第2の基地局に通知することは、具体的に、
指示情報に従って、ランダムアクセスプロセスを使用することにより、端末が第2の基地局によって制御されるセルに対して再選択を実施することを第2の基地局に通知すること
である。
【０２０８】
場合によっては、指示情報は、端末が第2の基地局によって制御されるセルに対して再選択を実施した後、端末が第2の基地局においてアクティブ化プロセスを開始することを許可されたことを示すために使用され、
処理ユニット81は、事前設定された条件が満たされたと判断するようにさらに構成され、
端末は、端末が第2の基地局によって制御されるセルに対してセル再選択を実施した後、事前設定された条件が満たされたと処理ユニット81が判断すると、第2の基地局にアクティブ化要求メッセージを送信するように構成された送信ユニット82であって、アクティブ化要求メッセージが、ソースセル情報、および端末の身元を識別するために使用される端末識別子情報を搬送する、送信ユニット82をさらに含み、
受信ユニット80は、第2の基地局によって送信されたアクティブ化メッセージを受信するようにさらに構成され、
処理ユニット81は、アクティブ化メッセージに従ってコンテキストを回復するようにさらに構成され、
送信ユニット82は、第2の基地局にアクティブ化完了メッセージを送信し、接続状態に入るようにさらに構成される。
【０２０９】
さらに、処理ユニット81は、事前設定された条件が満たされたと判断するようにさらに構成され、
端末は、事前設定された条件が満たされたと処理ユニット81が判断すると、第1の基地局にアクティブ化要求メッセージを送信するように構成された送信ユニット82であって、アクティブ化要求メッセージが、ソースセル情報、および端末の身元を識別するために使用される端末識別子情報を搬送する、送信ユニット82をさらに含み、
受信ユニット80は、第1の基地局によって送信されたアクティブ化メッセージを受信するようにさらに構成され、
処理ユニット81は、アクティブ化メッセージに従ってコンテキストを回復するようにさらに構成され、
送信ユニット82は、ソース基地局にアクティブ化完了メッセージを送信し、接続状態に入るようにさらに構成される。
【０２１０】
場合によっては、事前設定された条件が満たされたと処理ユニット81が判断することは、具体的に、
ページングメッセージが受信されたと判断されること、または
アップリンクデータが到達したと判断されること、または
追跡エリア更新（TAU）が実施される必要があること
である。
【０２１１】
場合によっては、アクティブ化メッセージはコンテキスト更新パラメータを搬送し、
処理ユニット81は、コンテキスト更新パラメータに従って、回復されたコンテキストを更新するようにさらに構成される。
【０２１２】
さらに、処理ユニット81は、アクティブ化を開始したセルについての情報および端末によって確保されたコンテキスト情報に基づいて、第1の鍵または第2の鍵を導出し、第1の鍵に基づいて第1の基地局と通信するか、または第2の鍵に基づいて第2の基地局と通信するようにさらに構成される。
【０２１３】
さらに、非アクティブ化指示メッセージは、端末のコンテキスト有効期間情報をさらに搬送し、
処理ユニット81は、コンテキスト有効期間タイマを開始し、コンテキスト有効期間タイマがタイムアウトした場合、端末のコンテキスト情報を解放するようにさらに構成される。
【０２１４】
図8Bを参照すると、本発明のこの実施形態では、端末の概略図が提供される。端末は、受信機800およびプロセッサ810を含む。
【０２１５】
受信機800は第1の基地局によって送信された非アクティブ化指示メッセージを受信し、非アクティブ化指示メッセージは端末のモビリティ制御に関する指示情報を搬送し、第1の基地局は端末のサービング基地局である。
【０２１６】
プロセッサ810は、受信機800によって受信された非アクティブ化指示メッセージに従って、RRC接続を解放し、端末のコンテキスト情報を確保し、非アクティブ状態に入るように構成される。
【０２１７】
受信機800は受信ユニット80によって実施される別の動作を実施するようにさらに構成され、プロセッサ810は処理ユニット81によって実施される別の動作を実施するようにさらに構成されることに留意されたい。端末は、送信ユニット82によって実施される動作を実施するように構成された送信機820をさらに含む。
【０２１８】
図9Aを参照すると、本発明のこの実施形態では、第1の基地局の概略図が提供される。第1の基地局は、処理ユニット90および送信ユニット91を含む。
【０２１９】
処理ユニット90は、事前設定された条件が満たされたと判断するように構成される。
【０２２０】
送信ユニット91は、事前設定された条件が満たされたと処理ユニット90が判断した後に、端末に非アクティブ化指示メッセージを送信し、端末のコンテキスト情報を確保するように構成され、非アクティブ化指示メッセージは端末のモビリティ制御に関する指示情報を搬送し、第1の基地局は端末のサービング基地局である。
【０２２１】
さらに、第1の基地局は、端末によって送信された非アクティブ化要求メッセージを受信するように構成された受信ユニット92をさらに含み、
事前設定された条件が満たされたと処理ユニット90が判断することは、具体的に、
非アクティブタイマがタイムアウトしたと判断すること、または
受信ユニット92により、端末によって送信された非アクティブ化要求メッセージを受信することであって、非アクティブ化要求メッセージが、端末を非アクティブ化するように第1の基地局に要求するために使用される、受信すること
である。
【０２２２】
場合によっては、指示情報は、セル再選択を実施するとき、第1の基地局によって制御されるセルを優先するように、非アクティブ状態にある端末に命令するために使用されるか、または
指示情報は、非アクティブ状態にある端末がセル再選択を実施するときに好ましいセルもしくは基地局を示すために使用される。
【０２２３】
場合によっては、指示情報は、端末が第2の基地局によって制御されるセルに対して再選択を実施するとき、端末が第2の基地局によって制御されるセルに対して再選択を実施することを第2の基地局に通知するように命令するために使用され、かつ／または、指示情報は、端末が第2の基地局に対して再選択を実施した後、端末が第2の基地局においてアクティブ化プロセスを開始することを許可されたことを示すために使用され、
第1の基地局は、第2の基地局によって送信されたコンテキスト要求を受信するように構成された受信ユニット92であって、コンテキスト要求が、ソースセル情報、端末の身元を識別するために使用される端末識別子情報、および対象セル情報を搬送する、受信ユニット92をさらに含み、
送信ユニット91は、第2の基地局に端末の確保されたコンテキスト情報を送信するようにさらに構成される。
【０２２４】
さらに、処理ユニット90は、対象セル情報に基づいて第1の鍵を生成するようにさらに構成され、
送信ユニット91は、第2の基地局に第1の鍵を送信するようにさらに構成される。
【０２２５】
さらに、第1の基地局は、MMEまたは第2の基地局によって送信されたコンテキスト情報解放メッセージを受信するように構成された受信ユニット92をさらに含み、
処理ユニット90は、コンテキスト情報解放メッセージに従って、確保されたコンテキスト情報を解放するようにさらに構成される。
【０２２６】
さらに、第1の基地局は、端末によって送信されたアクティブ化要求メッセージを受信するように構成された受信ユニット92であって、アクティブ化要求メッセージが、ソースセル情報、および端末の身元を識別するために使用される端末識別子情報を搬送する、受信ユニット92をさらに含み、
処理ユニット90は、ソースセル情報に従って、ソースセルが第1の基地局のセルであると判断すると、端末のコンテキスト情報を取得するようにさらに構成され、
送信ユニット91は、端末にアクティブ化メッセージを送信するようにさらに構成され、
受信ユニット92は、端末によって送信されたアクティブ化完了メッセージを受信するようにさらに構成される。
【０２２７】
場合によっては、アクティブ化メッセージはコンテキスト更新パラメータを搬送する。
【０２２８】
さらに、処理ユニット90は、アクティブ化が開始されたセルのセル識別子情報、および端末によって確保されたコンテキスト情報に基づいて第2の鍵を導出し、第2の鍵に基づいて端末と通信するようにさらに構成される。
【０２２９】
さらに、送信ユニット91は、端末が接続状態に入ったことをモビリティ管理エンティティ（MME）に通知するために、MMEに通知メッセージを送信するようにさらに構成される。
【０２３０】
図9Bを参照すると、本発明のこの実施形態では、第1の基地局の概略図が提供される。第1の基地局は、プロセッサ900および送信機910を含む。
【０２３１】
プロセッサ900は、事前設定された条件が満たされたと判断するように構成される。
【０２３２】
送信機910は、事前設定された条件が満たされたとプロセッサ900が判断した後に、端末に非アクティブ化指示メッセージを送信し、端末のコンテキスト情報を確保するように構成され、非アクティブ化指示メッセージは端末のモビリティ制御に関する指示情報を搬送し、第1の基地局は端末のサービング基地局である。
【０２３３】
プロセッサ900は処理ユニット90によって実施される別の動作を実施するようにさらに構成され、送信機910は送信ユニット91によって実施される別の動作を実施するようにさらに構成されることに留意されたい。第1の基地局は、受信ユニット92によって実施される動作を実施するように構成された受信機920をさらに含む。
【０２３４】
図10Aを参照すると、本発明のこの実施形態では、第2の基地局の概略図が提供される。第2の基地局は、受信ユニット10および送信ユニット11を含む。
【０２３５】
受信ユニット10は、端末によって送信されたアクティブ化要求メッセージを受信することであって、アクティブ化要求メッセージが、ソースセル情報、および端末の身元を識別するために使用される端末識別子情報を搬送する、受信すること、またはランダムアクセスプロセスを使用することにより、端末が第2の基地局によって制御されるセルに対して再選択を実施したことを通知するために端末によって使用された通知メッセージを受信することを行うように構成される。
【０２３６】
送信ユニット11は、アクティブ化要求メッセージまたは通知メッセージに従って、第1の基地局にコンテキスト要求を送信するように構成され、コンテキスト要求は端末のコンテキスト情報を要求するために使用され、コンテキスト要求は、ソースセル情報、および端末の身元を識別するために使用される端末識別子情報を搬送する。
【０２３７】
受信ユニット10は、端末のコンテキスト情報であり、コンテキスト要求に従って第1の基地局によって返信されたコンテキスト情報を受信するようにさらに構成される。
【０２３８】
さらに、受信ユニット10は、第1の基地局によって送信された第1の鍵を受信するようにさらに構成され、
第2の基地局は、第1の鍵に従って端末と通信するように構成された処理ユニット12をさらに含む。
【０２３９】
さらに、送信ユニット11は、モビリティ管理エンティティ（MME）に通知メッセージを送信するようにさらに構成され、通知メッセージは、端末が現在第2の基地局に位置することを示す情報をMMEに通知するために使用される。
【０２４０】
図10Bを参照すると、本発明のこの実施形態では、第2の基地局の概略図が提供される。第2の基地局は、受信機100および送信機110を含む。
【０２４１】
受信機100は、端末によって送信されたアクティブ化要求メッセージを受信することであって、アクティブ化要求メッセージが、ソースセル情報、および端末の身元を識別するために使用される端末識別子情報を搬送する、受信すること、またはランダムアクセスプロセスを使用することにより、端末が第2の基地局によって制御されるセルに対して再選択を実施したことを通知するために端末によって使用された通知メッセージを受信することを行うように構成される。
【０２４２】
送信機110は、アクティブ化要求メッセージまたは通知メッセージに従って、第1の基地局にコンテキスト要求を送信するように構成され、コンテキスト要求は端末のコンテキスト情報を要求するために使用され、コンテキスト要求は、ソースセル情報、および端末の身元を識別するために使用される端末識別子情報を搬送する。
【０２４３】
受信機100は、端末のコンテキスト情報であり、コンテキスト要求に従って第1の基地局によって返信されたコンテキスト情報を受信するようにさらに構成される。
【０２４４】
受信機100は受信ユニット10によって実施される別の動作を実施するようにさらに構成され、送信機110は送信ユニット11によって実施される別の動作を実施するようにさらに構成されることに留意されたい。第2の基地局は、処理ユニット12によって実施される動作を実施するように構成されたプロセッサ120をさらに含む。
【０２４５】
図11Aを参照すると、本発明のこの実施形態では、MMEの概略図が提供される。MMEは、受信ユニット110および送信ユニット120を含む。
【０２４６】
受信ユニット110は、第2の基地局によって送信された通知メッセージを受信するように構成され、通知メッセージは、端末が現在非アクティブ状態にあり、端末が第2の基地局によって制御されるセルに対して再選択を実施したことをMMEに通知するために使用される。
【０２４７】
送信ユニット120は、通知メッセージに従って第2の基地局にページングメッセージを送信するように構成される。
【０２４８】
さらに、MMEは、端末のS1インターフェースのデータリンクを第2の基地局に転送するように構成された処理ユニット130をさらに含み、
送信ユニット120は、端末のコンテキスト情報解放メッセージを第1の基地局に送信するようにさらに構成される。
【０２４９】
図11Bを参照すると、本発明のこの実施形態では、MMEの概略図が提供される。MMEは、受信機1100および送信機1200を含む。
【０２５０】
受信機1100は、第2の基地局によって送信された通知メッセージを受信するように構成され、通知メッセージは、端末が現在非アクティブ状態にあり、端末が第2の基地局によって制御されるセルに対して再選択を実施したことをMMEに通知するために使用される。
【０２５１】
送信機1200は、通知メッセージに従って第2の基地局にページングメッセージを送信するように構成される。
【０２５２】
受信機1100は受信ユニット110によって実施される別の動作を実施するようにさらに構成され、送信機1200は送信ユニット120によって実施される別の動作を実施するようにさらに構成されることに留意されたい。第2の基地局は、処理ユニット130によって実施される動作を実施するように構成されたプロセッサ1300をさらに含む。
【０２５３】
本発明の実施形態は、方法、システム、またはコンピュータプログラム製品として提供される場合があることを当業者なら理解されよう。したがって、本発明は、ハードウェアのみの実施形態、ソフトウェアのみの実施形態、またはソフトウェアとハードウェアの組合せを有する実施形態の形態を使用してもよい。その上、本発明は、コンピュータ使用可能プログラムコードを含む、（限定はしないが、ディスクメモリ、CD-ROM、光メモリなどを含む）1つまたは複数のコンピュータ使用可能記憶媒体に実装された、コンピュータプログラム製品の形態を使用してもよい。
【０２５４】
本発明は、本発明の実施形態による、方法、デバイス（システム）、およびコンピュータプログラム製品のフローチャートおよび／またはブロック図を参照して記載されている。コンピュータプログラム命令は、フローチャートおよび／またはブロック図内の各プロセスおよび／または各ブロック、ならびにフローチャートおよび／またはブロック図内のプロセスおよび／またはブロックの組合せを実装するために使用される場合があることを理解されたい。これらのコンピュータプログラム命令は、機械を生成するために、汎用コンピュータ、専用コンピュータ、組込み型プロセッサ、または任意の他のプログラマブルデータ処理デバイスのプロセッサに提供される場合があり、その結果、コンピュータまたは任意の他のプログラマブルデータ処理デバイスのプロセッサによって実行される命令は、フローチャート内の1つもしくは複数のプロセス内、および／またはブロック図内の1つもしくは複数のブロック内の特定の機能を実装するための装置を生成する。
【０２５５】
これらのコンピュータプログラム命令は、特定の方式で動作するようにコンピュータまたは任意の他のプログラマブルデータ処理デバイスに命令することができるコンピュータ可読メモリに記憶される場合があり、その結果、コンピュータ可読メモリに記憶された命令は、命令装置を含む人工物を生成する。命令装置は、フローチャート内の1つもしくは複数のプロセス内、および／またはブロック図内の1つもしくは複数のブロック内の特定の機能を実装する。
【０２５６】
これらのコンピュータプログラム命令は、コンピュータまたは別のプログラマブルデータ処理デバイスにロードされる場合があり、その結果、一連の動作およびステップは、コンピュータまたは別のプログラマブルデータ処理デバイス上で実施され、それにより、コンピュータ実装処理が生成される。したがって、コンピュータまたは別のプログラマブルデータ処理デバイス上で実行される命令は、フローチャート内の1つもしくは複数のプロセス内、および／またはブロック図内の1つもしくは複数のブロック内の特定の機能を実装するためのステップを提供する。
【０２５７】
本発明のいくつかの好ましい実施形態が記載されたが、当業者は、基本的な本発明の概念を知ると、これらの実施形態に対して変更および修正を行うことができる。したがって、以下の特許請求の範囲は、本発明の範囲内に入る好ましい実施形態ならびにすべての変更および修正を包含するように解釈されるものである。
【０２５８】
当然ながら、当業者は、本発明の実施形態の趣旨および範囲から逸脱することなく、本発明の実施形態に対して様々な修正および変形を行うことができる。本発明は、以下の特許請求の範囲およびそれらの等価な技術によって定義される保護範囲内に入る、これらの提供された修正および変形を包含するものである。
【符号の説明】
【０２５９】
10  受信ユニット
11  送信ユニット
12  処理ユニット
80  受信ユニット
81  処理ユニット
82  送信ユニット
90  処理ユニット
91  送信ユニット
92  受信ユニット
100  受信機
110  送信機、受信ユニット
120  プロセッサ、送信ユニット
130  処理ユニット
800  受信機
810  プロセッサ
820  送信機
900  プロセッサ
910  送信機
920  受信機
1100  受信機
1200  送信機
1300  プロセッサ
【図１】
0006656361.tif 000002
【図２】
0006656361.tif 000003
【図３】
0006656361.tif 000004
【図４】
0006656361.tif 000005
【図５】
0006656361.tif 000006
【図６】
0006656361.tif 000007
【図７】
0006656361.tif 000008
【図８Ａ】
0006656361.tif 000009
【図８Ｂ】
0006656361.tif 000010
【図９Ａ】
0006656361.tif 000011
【図９Ｂ】
0006656361.tif 000012
【図１０Ａ】
0006656361.tif 000013
【図１０Ｂ】
0006656361.tif 000014
【図１１Ａ】
0006656361.tif 000015
【図１１Ｂ】
0006656361.tif 000016